【手続補正書】
【提出日】平成15年8月1日(2003.8.1)
【手続補正１】
【補正対象書類名】明細書
【補正対象項目名】特許請求の範囲
【補正方法】変更
【補正の内容】
【特許請求の範囲】
【請求項１】
音声認識の対象とすべき全単語を格納した認識対象候補語彙から予め取得したユーザーの嗜好情報に基づいた認識対象語彙を予め作成し、入力される音声と認識対象語彙とから単語を認識することを特徴とする音声認識方法。
【請求項２】
入力された音声と音声認識の対象の単語である認識対象語彙とから前記単語を認識する音声認識によって得られる認識得点と、予め取得したユーザーの嗜好情報に基づいた前記認識対象語彙の嗜好得点とを使用して、認識結果を決定することを特徴とする音声認識方法。
【請求項３】
ユーザーの嗜好情報は、ユーザーが入力するユーザー識別記号、ユーザーの発声、ユーザーの画像又は前記ユーザーの嗜好情報を選択する時間から選択された少なくとも一つの情報である請求項１又は２記載の音声認識方法。
【請求項４】
請求項１ないし３のいずれか記載の音声認識方法を用いて、番組指定をする番組指定方法。
【請求項５】
ユーザーの嗜好情報は、番組の視聴側による中断時、番組の配信側による中断時又は番組終了時に、学習される情報である請求項４記載の番組指定方法。
【請求項６】
ユーザーの嗜好情報は、番組の視聴履歴を用いて学習した情報である請求項４又は５記載の番組指定方法。
【請求項７】
番組の視聴履歴は、電子番組ガイドで提供される時間帯、ジャンル、出演者、出演グループ名、番組名、番組内容、テーマ、音楽、内容キーワード、ユーザー名の少なくとも１つを構成要素として持つ情報である請求項６記載の番組指定方法。
【請求項８】
ユーザーの発声する音声を入力する音声入力部と、ユーザーの嗜好情報に基づいて音声認識の対象とすべき全単語を格納した認識対象候補語彙から認識対象語彙を作成する認識対象語彙作成部と、前記音声入力部から入力される音声と前記認識対象語彙とから単語を認識する認識部とを含む音声認識装置。
【請求項９】
ユーザーの発声する音声を入力する音声入力部と、ユーザーの嗜好情報に基づいて音声認識の対象とすべき全単語を格納した認識対象候補語彙から認識対象語彙を作成する認識対象語彙作成部と、前記ユーザーの嗜好情報に基づいた前記認識対象語彙の嗜好得点を算出する嗜好得点計算部と、前記音声入力部から入力される音声と前記認識対象語彙とから単語の認識得点を計算する認識部と、前記嗜好得点と前記認識得点とを使用して、認識結果を決定し出力する認識結果決定部とを含む音声認識装置。
【請求項１０】
一つまたは複数のユーザーの嗜好情報を保持する嗜好情報記憶部を、更に、含み、前記ユーザーの嗜好情報は、ユーザーが入力するユーザー識別記号、ユーザ
ーの発声、ユーザーの画像又は前記ユーザーの嗜好情報を選択する時間の少なくとも１つによって選択される情報である請求項８又は９記載の音声認識装置。
【請求項１１】
請求項８ないし１０のいずれか記載の音声認識装置を用いて、番組指定をすることを特徴とする番組指定装置。
【請求項１２】
番組の視聴側による中断時、番組の配信側による中断時又は番組終了時に、ユーザーの嗜好情報の入力を促す嗜好情報作成部を更に含む
請求項１１記載の番組指定装置。
【請求項１３】
ユーザーの嗜好情報は、番組の視聴履歴を用いて学習した情報である請求項１１又は１２記載の番組指定装置。
【請求項１４】
番組の視聴履歴は、電子番組ガイドで提供される時間帯、ジャンル、出演者、出演グループ名、番組名、番組内容、テーマ、音楽、内容キーワード、ユーザー名の少なくとも１つを構成要素として持つ情報である請求項１３記載の番組指定装置。
【請求項１５】
音声認識の対象とすべき全単語を格納した認識対象候補語彙から予め取得したユーザーの嗜好情報に基づいた認識対象語彙を予め作成し、入力される音声と認識対象語彙とから単語を認識することを特徴とする音声認識方法をコンピュータに実行させるためのプログラム。
【請求項１６】
入力された音声と音声認識の対象の単語である認識対象語彙とから前記単語を認識する音声認識によって得られる認識得点と、予め取得したユーザーの嗜好情報に基づいた前記認識対象語彙の嗜好得点とを使用して、認識結果を決定することを特徴とする音声認識方法をコンピュータに実行させるためのプログラム。
【手続補正２】
【補正対象書類名】明細書
【補正対象項目名】０００３
【補正方法】変更
【補正の内容】
【０００３】
図５に従来の音声認識装置の構成図を示し、以下に説明する。
音声認識を開始する前に、音声認識の対象となる複数の単語を予め定義された複数のジャンルに分けて単語セット５０として記憶し、辞書生成部５１により複数の単語セット５０の音声特徴を抽出して辞書ファイル５２に記憶させ、音声入力の前に辞書ロード部５３は辞書ロード指示部５４の指示された辞書ファイル５２を辞書メモリ５５にロードする。


【手続補正３】
【補正対象書類名】明細書
【補正対象項目名】０００５
【補正方法】変更
【補正の内容】
【０００５】
【発明が解決しようとする課題】
しかしながら、これらの従来技術を用いても認識対象語彙は、予め定めたジャンルに従って作成されるためにユーザーの意図としたものとは限らず、さらに定められたジャンルが変わるたびに辞書ファイルのロードを繰り返すことが必要となり、ユーザーの意図に合った音声認識結果を得るためにはユーザー操作が増えるなどの課題があった。


【手続補正４】
【補正対象書類名】明細書
【補正対象項目名】０００６
【補正方法】変更
【補正の内容】
【０００６】
本発明は、ユーザーの嗜好に合わせて認識対象語彙を少ないユーザー操作で絞り込むことにより、音声認識性能の向上を図ることを目的とする。


【手続補正５】
【補正対象書類名】明細書
【補正対象項目名】００１０
【補正方法】変更
【補正の内容】
【００１０】
【発明の実施の形態】
本発明の請求項１に記載の発明は、音声認識の対象とすべき全単語を格納した認識対象候補語彙から予め取得したユーザーの嗜好情報に基づいた認識対象語彙を予め作成し、入力される音声と認識対象語彙とから単語を認識することを特徴とするもので、ユーザーの嗜好に合わせて認識対象語彙を絞り込むことにより音声認識性能を向上させるという作用を有する。また、認識対象候補となりうる全語彙を対象に音声認識を行うよりも処理が簡便で早くなる方法である。
請求項２に記載の発明は、入力された音声と音声認識の対象の単語である認識対象語彙とから前記単語を認識する音声認識によって得られる認識得点と、予め取得したユーザーの嗜好情報に基づいた前記認識対象語彙の嗜好得点とを使用して、認識結果を決定することを特徴とする音声認識方法とするものであり、認識得点に嗜好得点も加味することにより、ユーザーがより発声しそうな内容に重みをつけて結果を出力して、ユーザーの全く意図しない結果を出現させるケースを大幅に低減すると同時に、意図する結果を高い確率で出現させるという作用を有する。


【手続補正６】
【補正対象書類名】明細書
【補正対象項目名】００１１
【補正方法】変更
【補正の内容】
【００１１】
請求項３に記載の発明は、請求項１又は２記載の音声認識方法において、ユーザーの嗜好情報は、ユーザーが入力するユーザー識別記号、ユーザーの発声、ユーザーの画像又は前記ユーザーの嗜好情報を選択する時間から選択された少なくとも一つの情報である音声認識方法とするもので、本発明の嗜好情報の学習に関わるものであり、好きまたは嫌いの単純択一を使用することにより、ユーザーに負担をかけずに嗜好を学習することができるという作用を有する。さらに、好きまたは嫌いを利用した学習を用いることにより、音声操作の即動性、取り扱いの簡便性を損なうことなく嗜好情報を学習することができる。


【手続補正７】
【補正対象書類名】明細書
【補正対象項目名】００１２
【補正方法】変更
【補正の内容】
【００１２】
請求項４に記載の発明は、請求項１ないし３のいずれか記載の音声認識方法を用いて、番組指定をする番組指定方法としたものであり、デジタルテレビ放送や、オン・デ・マンド映画／カラオケ配信サービスを利用に適用したもので、ユーザーの嗜好にあった番組選択ができるという作用を有する。
請求項５に記載の発明は、ユーザーの嗜好情報は、番組の視聴側による中断時、番組の配信側による中断時又は番組終了時に、学習される情報である請求項４記載の番組指定方法としたものであり、番組内容を視聴した後にユーザーの嗜好情報が学習されることにより、よりユーザーの嗜好にあった番組選択ができるという作用を有する。
請求項６に記載の発明は、ユーザーの嗜好情報は、番組の視聴履歴を用いて学習した情報である請求項４又は５記載の番組指定方法としたものであり、番組の視聴履歴を用いてユーザーの嗜好情報を学習するため、ユーザーの手間を省略し、容易にユーザーの嗜好に
あった学習ができるという作用を有する。
請求項７に記載の発明は、番組の視聴履歴は、電子番組ガイドで提供される時間帯、ジャンル、出演者、出演グループ名、番組名、番組内容、テーマ、音楽、内容キーワード、ユーザー名の少なくとも１つを構成要素として持つ情報である請求項６記載の番組指定方法としたものであり、ユーザーの嗜好情報の内容を指定することにより、よりユーザーの嗜好にあった番組選択ができるという作用を有する。
請求項８に記載の発明は、ユーザーの発声する音声を入力する音声入力部と、ユーザーの嗜好情報に基づいて音声認識の対象とすべき全単語を格納した認識対象候補語彙から認識対象語彙を作成する認識対象語彙作成部と、前記音声入力部から入力される音声と前記認識対象語彙とから単語を認識する認識部とを含む音声認識装置としたものであり、ユーザーの嗜好に合わせて認識対象語彙を絞り込むことにより音声認識性能を向上させるという作用を有する。
【手続補正８】
【補正対象書類名】明細書
【補正対象項目名】００１３
【補正方法】変更
【補正の内容】
【００１３】
請求項９記載の発明は、ユーザーの発声する音声を入力する音声入力部と、ユーザーの嗜好情報に基づいて音声認識の対象とすべき全単語を格納した認識対象候補語彙から認識対象語彙を作成する認識対象語彙作成部と、前記ユーザーの嗜好情報に基づいた前記認識対象語彙の嗜好得点を算出する嗜好得点計算部と、前記音声入力部から入力される音声と前記認識対象語彙とから単語の認識得点を計算する認識部と、前記嗜好得点と前記認識得点とを使用して、認識結果を決定し出力する認識結果決定部とを含む音声認識装置としたものであり、ユーザーの嗜好に合わせて認識対象語彙を絞り込むことにより音声認識性能を向上させるという作用を有する。


【手続補正９】
【補正対象書類名】明細書
【補正対象項目名】００１４
【補正方法】変更
【補正の内容】
【００１４】
請求項１０記載の発明は、一つまたは複数のユーザーの嗜好情報を保持する嗜好情報記憶部を、更に、含み、前記ユーザーの嗜好情報は、ユーザーが入力するユーザー識別記号、ユーザーの発声、ユーザーの画像又は前記ユーザーの嗜好情報を選択する時間の少なくとも１つによって選択される情報である請求項８又は９記載の音声認識装置とするものであり、１つまたは複数の嗜好情報から認識対象語彙選択に使用する嗜好情報を選択することにより、ユーザーの嗜好に合わせて認識対象語彙を絞り込むことにより音声認識性能を向上させるという作用を有する。


【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】変更
【補正の内容】
【００１９】
請求項１１に記載の発明は、請求項８ないし１０のいずれか記載の音声認識装置を用いて、番組指定をすることを特徴とする番組指定装置としたものであり、デジタルテレビ放送や、オン・デ・マンド映画／カラオケ配信サービスを利用する時の番組指定装置に適用したもので、ユーザーの嗜好にあった番組選択ができるという作用を有する。


【手続補正１５】
【補正対象書類名】明細書
【補正対象項目名】００２０
【補正方法】変更
【補正の内容】
【００２０】
請求項１２に記載の発明は、番組の視聴側による中断時、番組の配信側による中断時又は番組終了時に、ユーザーの嗜好情報の入力を促す嗜好情報作成部を更に含む請求項１１記載の番組指定装置としたものであり、番組指定装置がユーザーから嗜好情報を学習する場合に、番組の切れ目などを狙って、積極的に嗜好を尋ねることにより、よりユーザーの嗜好にあった番組選択ができるという作用を有する。
請求項１３に記載の発明は、ユーザーの嗜好情報は、番組の視聴履歴を用いて学習した情報である請求項１１又は１２記載の番組指定装置とするもので、番組の視聴履歴を用いて嗜好情報の学習するため、ユーザーの手間を省略し、容易にユーザーの嗜好にあった学習ができるという作用を有する。


【手続補正１６】
【補正対象書類名】明細書
【補正対象項目名】００２１
【補正方法】変更
【補正の内容】
【００２１】
請求項１４に記載の発明は、番組の視聴履歴は、電子番組ガイドで提供される時間帯、ジャンル、出演者、出演グループ名、番組名、番組内容、テーマ、音楽、内容キーワード、ユーザー名の少なくとも１つを構成要素として持つ情報である請求項１３記載の番組指定装置とするものであり、嗜好情報の内容を指定することにより、よりユーザーの嗜好にあった番組選択ができるという作用を有する。


【手続補正１７】
【補正対象書類名】明細書
【補正対象項目名】００２２
【補正方法】変更
【補正の内容】
【００２２】
請求項１５に記載の発明は、音声認識の対象とすべき全単語を格納した認識対象候補語彙から予め取得したユーザーの嗜好情報に基づいた認識対象語彙を予め作成し、入力される音声と認識対象語彙とから単語を認識することを特徴とする音声認識方法をコンピュータに実行させるためのプログラムユーザーの嗜好に合わせて認識対象語彙を絞り込むことにより音声認識性能を向上させるという作用を有する。また、認識対象候補となりうる全語彙を対象に音声認識を行うよりも処理が簡便で早くなる方法である。
請求項１６に記載の発明は、入力された音声と音声認識の対象の単語である認識対象語彙とから前記単語を認識する音声認識によって得られる認識得点と、予め取得したユーザーの嗜好情報に基づいた前記認識対象語彙の嗜好得点とを使用して、認識結果を決定することを特徴とする音声認識方法をコンピュータに実行させるためのプログラムとしたものであり、認識得点に嗜好得点も加味することにより、ユーザーがより発声しそうな内容に重みをつけて結果を出力して、ユーザーの全く意図しない結果を出現させるケースを大幅に低減すると同時に、意図する結果を高い確率で出現させるという作用を有する。
【手続補正１８】
【補正対象書類名】明細書
【補正対象項目名】符号の説明
【補正方法】変更
【補正の内容】
【符号の説明】
１  音声入力部
２  嗜好情報作成部
３  嗜好情報記憶部
４  認識対象候補語彙記憶部
５  認識対象語彙作成部
６  認識部
７  認識結果決定部
８  セットトップボックス
９  デジタルテレビ放送
１０  オン・デ・マンド映画／カラオケ配信サービス
１１  ビデオ
１２  ディスプレイモニタ
１３  音響テンプレート記憶部
１４  音響テンプレート選択部
１５  嗜好選択情報入力部
１６  番号決定部
１７  嗜好得点計算部